(57)【要約】【課題】簡単な構造で、雨水を利用して植物に水を供給することができる植木鉢の集水器を提供する。【解決手段】プラスチック製で薄く、ほぼ円盤状を成している。上面が、植木鉢１の上部開口より大きい集水面１１を成している。集水面１１の中央に、厚さ方向に貫通した植物用貫通口１２を有している。集水面１１は、植物用貫通口１２に向かって下がるよう傾斜している。集水面１１は、水が流れやすいよう滑らかに加工されている。集水面１１は、光反射材を有していてもよい。【選択図】図１
0003123303.tif 000002
【実用新案登録請求の範囲】
【請求項１】
植木鉢の集水器であって、
植木鉢の上部開口の内側から外側に突出して広がり、植木鉢の外側から内側に下がるよう傾斜して植木鉢に設けられる集水面を有することを特徴とする植木鉢の集水器。
【請求項２】
前記集水面に光反射材を有していることを、特徴とする請求項１記載の植木鉢の集水器。
【請求項３】
複数の同一形状の集水部材から成り、各集水部材は傾斜部と基部とを有し、前記傾斜部は前記基部に対し鈍角をなして一体的に設けられ基部側の反対面に前記集水面を有し、各集水部材の前記基部を植木鉢の内側に配置したとき各傾斜部を植木鉢の上部開口から外側に突出させて放射状に広げることが可能でかつ折り重ね可能に各集水部材を結合して成ることを、特徴とする請求項１または２記載の植木鉢の集水器。
【考案の詳細な説明】
【技術分野】
【０００１】
本考案は、雨水を利用して植木鉢に植えられた植物に水を供給するための植木鉢の集水器に関する。
【背景技術】
【０００２】
従来、雨水を利用して植木鉢に水を供給する装置として、屋根に設置したルーフドレーンに連結された集水分水槽から、給水管を介して貯水槽に給水し、貯水槽から散水管により植木鉢に水を供給するものがある（例えば、特許文献１参照）。
【０００３】
【特許文献１】特開平１１−２５３０６３号公報
【考案の開示】
【考案が解決しようとする課題】
【０００４】
しかしながら、特許文献１記載の装置では、屋根のルーフドレーンに連結しており、大きく、構造が複雑であるという課題があった。
【０００５】
本考案は、このような課題に着目してなされたもので、簡単な構造で、雨水を利用して植物に水を供給することができる植木鉢の集水器を提供することを目的とする。
【課題を解決するための手段】
【０００６】
上記目的を達成するために、本考案に係る植木鉢の集水器は、植木鉢の上部開口の内側から外側に突出して広がり、植木鉢の外側から内側に下がるよう傾斜して植木鉢に設けられる集水面を有することを特徴とする。
本考案に係る植木鉢の集水器は、植木鉢に植えられた植物に水を供給するための植木鉢の集水器であって、前記植木鉢の上部開口より大きい集水面を有し、前記集水面の中央に厚さ方向に貫通した植物用貫通口を有し、前記集水面は前記植物用貫通口に向かって下がるよう傾斜しているものであってもよい。
【０００７】
この本考案に係る植木鉢の集水器は、集水面を上にして植木鉢の上縁部に載せて、好適に使用される。このとき、植木鉢に植えられた植物を植物用貫通口に貫通させて、植物に光があたるよう配置する。厚さを薄く形成することにより、植物に光があたりやすくすることができる。集水面が植物用貫通口に向かって下がるよう傾斜しているため、雨が降ると、集水面に降った雨水が、集水面の傾斜に沿って流れて植物用貫通口から植木鉢の中に入る。このとき、集水面が植木鉢の上部開口より大きいため、本考案に係る植木鉢の集水器を使用しない場合に比べ集水量が多く、植物に供給する水の量も多くなる。このため、水やりの回数や量を減らすことができ、効率がよい。また、雨水が植物用貫通口から植木鉢の中に入るため、植物の近くに水を供給することができ、植物の生育に効果的である。このように、本考案に係る植木鉢の集水器は、植木鉢の上縁部に載せるだけの簡単な構造で、雨水を利用して植物に容易に水を供給することができる。なお、じょうろ等で水やりをする場合にも、植木鉢に取り付けておいてもよい。この場合、集水面が植木鉢の上部開口より大きいため、水やりしやすく、効率がよい。
【０００８】
本考案に係る植木鉢の集水器は、前記集水面に光反射材を有していることが好ましい。この場合、集水面の光反射材で反射した光が植物にあたるため、植物の生育に効果的である。なお、光反射材は、鏡や鏡のかけら、アルミニウム、銀紙、メッキ、ビーズなど、光を反射する素材であればいかなるものであってもよい。また、光反射材は、取り外し可能であってもよく、集水面の全面に設けられていても、一部に設けられていても、市松模様状に設けられていてもよい。
本考案に係る植木鉢の集水器は、複数の同一形状の集水部材から成り、各集水部材は傾斜部と基部とを有し、前記傾斜部は前記基部に対し鈍角をなして一体的に設けられ基部側の反対面に前記集水面を有し、各集水部材の前記基部を植木鉢の内側に配置したとき各傾斜部を植木鉢の上部開口から外側に突出させて放射状に広げることが可能でかつ折り重ね可能に各集水部材を結合して成ることが好ましい。
【０００９】
本考案に係る植木鉢の集水器は、互いの間に前記集水面が形成されるよう前記植物用貫通口から外周まで伸びて設けられた１対の側縁部と、各側縁部の間に前記植物用貫通口から外周まで伸びて設けられた複数の折り部とを有し、各折り部により交互に折り畳み可能であってもよい。
この場合、折り部で交互に折って、小さく折り畳むことができるため、収納が容易である。特に、植物の枝や葉が植物用貫通口より広がっているとき、植物を傷つけることなく、折り畳んで取り付けや取り外しをすることができる。
本考案に係る植木鉢の集水器は、植木鉢に一体的に設けられていてもよい。
【考案の効果】
【００１０】
本考案によれば、簡単な構造で、雨水を利用して植物に水を供給することができる植木鉢の集水器を提供することができる。
【考案を実施するための最良の形態】
【００１１】
以下、図面に基づき本考案の実施の形態について説明する。
図１乃至図３は、本考案の実施の形態の植木鉢の集水器を示している。
図１に示すように、植木鉢の集水器１０は、プラスチック製で薄く、ほぼ円盤状を成している。植木鉢の集水器１０は、上面が植木鉢１の上部開口より大きい集水面１１を成している。植木鉢の集水器１０は、集水面１１の中央に厚さ方向に貫通した植物用貫通口１２を有している。集水面１１は、植物用貫通口１２に向かって下がるよう傾斜しており、水が流れやすいよう滑らかに加工されている。なお、植木鉢の集水器１０は、より水が流れやすくなるよう、集水面１１に撥水コーティングや親水コーティングが施されていてもよい。また、集水面１１は、光反射材を有していてもよい。この場合、集水面１１の光反射材で反射した光が植物にあたるため、植物の生育に効果的である。集水面１１は、植木鉢１の上部開口の内側から外側に突出して広がり、植木鉢１の外側から内側に下がるよう傾斜して植木鉢１に設けられる。
【００１２】
次に、作用について説明する。
図１に示すように、植木鉢の集水器１０は、集水面１１を上にして植木鉢１の上縁部に載せて使用される。このとき、植木鉢１に植えられた植物２を植物用貫通口１２に貫通させて、植物２に光があたるよう配置する。厚さが薄いため、植物２に光があたりやすい。集水面１１が植物用貫通口１２に向かって下がるよう傾斜しているため、雨が降ると、集水面１１に降った雨水が、集水面１１の傾斜に沿って流れて植物用貫通口１２から植木鉢１の中に入る。このとき、集水面１１が植木鉢１の上部開口より大きいため、植木鉢の集水器１０を使用しない場合に比べ集水量が多く、植物２に供給する水の量も多くなる。このため、水やりの回数や量を減らすことができ、効率がよい。また、雨水が植物用貫通口１２から植木鉢１の中に入るため、植物２の近くに水を供給することができ、植物２の生育に効果的である。このように、植木鉢の集水器１０は、植木鉢１の上縁部に載せるだけの簡単な構造で、雨水を利用して植物２に容易に水を供給することができる。
【００１３】
なお、図２に示すように、植木鉢の集水器２０は、紙製で、互いの間に集水面１１が形成されるよう植物用貫通口１２から外周まで伸びて設けられた１対の側縁部２１と、各側縁部２１の間に植物用貫通口１２から外周まで伸びて設けられた複数の折り部２２とを有し、各折り部２２により交互に折り畳み可能であってもよい。なお、各側縁部２１は、植物用貫通口１２から外周まで伸びた切断部２３の両脇に形成されている。この場合、折り部２２で交互に折って、小さく折り畳むことができるため、収納が容易である。特に、植物２の枝や葉が植物用貫通口１２より広がっているとき、植物２を傷つけることなく、折り畳んで取り付けや取り外しをすることができる。
【００１４】
また、図３に示すように、植木鉢の集水器３０は、複数の集水部材３１から成っていてもよい。各集水部材３１は、傾斜部３２と基部３３とを有している。傾斜部３２は、板状で、平面形状が概ね扇形を成している。基部３３は、板状で、傾斜部３２の要側の端部に、傾斜部３２の下面に対して垂直よりやや大きい角度、すなわち鈍角をなして一体的に設けられている。傾斜部３２は、基部３３の側の反対面となる上面に集水面を有している。植木鉢の集水器１０は、各集水部材３１の傾斜部３２が円環状に配置されるよう、各集水部材３１を並べて形成されている。植木鉢の集水器１０は、各集水部材３１の基部３３の先端３３ａを植木鉢１の土壌に突き刺して固定可能になっている。各集水部材３１は、その基部３３を植木鉢１の内側に配置したとき各傾斜部３２を植木鉢１の上部開口から外側に突出させて放射状に広げることが可能でかつ折り重ね可能に結合されている。
【００１５】
この複数の集水部材３１から成る構成では、各集水部材３１の大きさ程度まで小さくして、容易に収納することができる。特に、植物２の枝や葉が植物用貫通口１２より広がっているとき、植物２を傷つけることなく取り付けや取り外しをすることができる。基部３３の先端３３ａを植木鉢１の土壌に突き刺して固定するため、比較的強い風を受けても外れにくい。なお、植木鉢の集水器１０は、各集水部材３１が扇子状に折り畳み可能であっても、各集水部材３１がバラバラに分離していてもよい。
【図面の簡単な説明】
【００１６】
【図１】本考案の実施の形態の植木鉢の集水器の使用状態を示す斜視図である。
【図２】図１に示す植木鉢の集水器の折り畳み可能な変形例を示す斜視図である。
【図３】図１に示す植木鉢の集水器の扇子状の変形例を示す（ａ）斜視図、（ｂ）集水部材の断面図である。
【符号の説明】
【００１７】
１    植木鉢
２    植物
１０  植木鉢の集水器
１１  集水面
１２  植物用貫通口
【図１】
0003123303.tif 000003
【図２】
0003123303.tif 000004
【図３】
0003123303.tif 000005